(57)【要約】【課題】  マルチパスの存在する環境下で車両が走行中に車載のデジタルテレビのＢＥＲが急激に悪化して受信不能になるといった現象を生じるのを予防する技術を提供する。【解決手段】  ＢＥＲ検出回路１０６によるＢＥＲ検出出力とデジタルテレビを搭載した車両の車速検出器２１０からの速度検出出力とに基づき監視回路１０８で車速に対応したＢＥＲ値の推移を監視し、ＢＥＲ値が急増する等の傾向が出たら監視回路１０８からアラーム信号ＡＬを出力し、信号ＡＬに基づいて警告して運転者に車速を減速させたり、車速制御を自動的に行う等して、ＢＥＲ値の水準を維持してデジタルテレビ受像機では良好な受信状態を維持する。【選択図】  図１
2006197289.tif 000002
【特許請求の範囲】
【請求項１】
ＢＥＲを検出するＢＥＲ検出回路を備えたデジタルテレビ受像機と、前記ＢＥＲ検出回路のＢＥＲ検出出力と前記前記デジタルテレビ受像機を搭載した車両の速度を検出する車速検出器の速度検出出力とに基づいて前記車両の速度に対応したＢＥＲ値の推移を監視して当該ＢＥＲ値の推移に係る特定の傾向が認識されたときにアラーム信号を出力する監視回路と、を備えたことを特徴とするデジタルテレビシステム。
【請求項２】
デジタルテレビ受像機におけるＢＥＲを検出するＢＥＲ検出回路と、前記デジタルテレビ受像機を搭載した車両の速度を検出する車速検出器と、前記ＢＥＲ検出回路のＢＥＲ検出出力と前記車速検出器の速度検出出力とに基づいて前記車両の速度に対応したＢＥＲ値の推移を監視して当該ＢＥＲ値の推移に係る特定の傾向が認識されたときにアラーム信号を出力する監視回路と、を備えたことを特徴とするデジタルテレビシステム。
【請求項３】
前記ＢＥＲ検出回路は、前記デジタルテレビ受像機におけるビタビ復号エラー訂正回路の入出力の比較処理又はリードソロモン復号エラー訂正回路の入出力の比較処理の何れかの処理に選択的に依拠してＢＥＲを検出するように構成されていることを特徴とする請求項１〜２の何れか一項に記載のデジタルテレビシステム。
【請求項４】
前記監視回路は、前記ＢＥＲ検出回路の検出出力と前記速度検出器の検出出力とを一定の周期でサンプリングし、そのサンプリング結果に基づいてＢＥＲ値の推移を監視するように構成されていることを特徴とする請求項１〜２の何れか一項に記載のデジタルテレビシステム。
【請求項５】
前記監視回路のアラーム信号出力に基づいて音声による警報を発するアラーム発声器を更に備えていることを特徴とする請求項１〜２の何れか一項に記載のデジタルテレビシステム。
【請求項６】
前記監視回路のアラーム信号出力に基づいて警告表示を行う警告表示器を更に備えていることを特徴とする請求項１〜２の何れか一項に記載のデジタルテレビシステム。
【請求項７】
前記監視回路のアラーム信号出力が前記車両の速度制御回路に供給され、前記速度制御回路は前記アラーム信号出力に応じて前記車両の速度を抑制するように構成されていることを特徴とする請求項１〜２の何れか一項に記載のデジタルテレビシステム。
【請求項８】
前記監視回路は前記車両の速度に対応したＢＥＲ値が相対的に急な悪化を呈するように推移したときにこの推移を当該特定の傾向と認識してアラーム信号を出力するように構成されていることを特徴とする請求項１〜２の何れか一項に記載のデジタルテレビシステム。
【請求項９】
前記監視回路のアラーム信号出力が前記車両の制御系を統括的に制御するＥＣＵに一つの入力として供給されるように構成されていることを特徴とする請求項１〜２の何れか一項に記載のデジタルテレビシステム。
【請求項１０】
車両に搭載して使用可能に構成されたデジタルテレビ受像機であって、前記デジタルテレビ受像機におけるＢＥＲを検出するＢＥＲ検出回路と、前記ＢＥＲ検出回路のＢＥＲ検出出力と前記デジタルテレビ受像機を搭載した車両の速度を検出する車速検出器からの速度検出出力とを外部から供給され得るようになされ当該供給されるＢＥＲ検出出力と速度検出出力とに基づいて前記車両の速度に対応したＢＥＲ値の推移を監視して当該ＢＥＲ値の推移に係る特定の傾向が認識されたときにアラーム信号を出力する監視回路と、を備えたことを特徴とするデジタルテレビ受像機。
【請求項１１】
前記ＢＥＲ検出回路は、前記デジタルテレビ受像機におけるビタビ復号エラー訂正回路の入出力の比較処理又はリードソロモン復号エラー訂正回路の入出力の比較処理の何れかの処理に選択的に依拠してＢＥＲを検出するように構成されていることを特徴とする請求項１０に記載のデジタルテレビ受像機。
【請求項１２】
前記ＢＥＲ検出回路は、一定の周期で前記デジタルテレビ受像機におけるＢＥＲを検出し、その検出出力を前記監視回路に供給するように構成されていることを特徴とする請求項１０に記載のデジタルテレビ受像機。
【請求項１３】
前記監視回路のアラーム信号出力が当該アラーム信号出力に応じて前記車両の速度を抑制する速度制御回路に供給されるように構成されていることを特徴とする請求項１０に記載のデジタルテレビ受像機。
【請求項１４】
前記監視回路は前記車両の速度に対応したＢＥＲ値が相対的に急な悪化を呈するように推移したときにこの推移を当該特定の傾向と認識してアラーム信号を出力するように構成されていることを特徴とする請求項１０に記載のデジタルテレビ受像機。
【発明の詳細な説明】
【技術分野】
【０００１】
本発明は、車載用受信機として適合するデジタルテレビシステム及びデジタルテレビ受像機に関し、特に、車両が走行している間においてテレビ受像機の映像が良好に見える状態が維持されるようにするデジタルテレビシステム及びデジタルテレビ受像機に関する。
【背景技術】
【０００２】
近年、車載用のテレビ受像機が普及しつつある。車載用にもデジタルテレビ受像機が採用される機運が高まっているが、デジタルテレビ受像機の場合、次に述べるような得失があるため、車載用として用いるには一考を要する。一般に、デジタルテレビ受像機においてはデータの再生に当たって、ビタビ復号エラー訂正処理とリードソロモン（以下ＲＳと記す）復号エラー訂正処理が施される。
【０００３】
ＢＥＲ (ビットエラーレート)に関しては、エラー訂正が施されるため、受信信号が低下してきてもトランスポートストリーム（以下ＴＳと記す）出力のＢＥＲは比例関係を持って劣化することは無く、受信限界（画像が正しく再現できなくなる受信信号レベル）近傍までＢＥＲの値は０である状態が維持される。しかし、この状態から僅かでも信号レベルが低下するとＢＥＲは急激に悪化して画像が映らなくなる。これが、固定受信の場合におけるクリフエフェクト（崖効果）と呼ばれる現象である。
【０００４】
一方、車載用受信機におけるような移動受信では、マルチパス環境下を走行するような場合、受信電界強度が十分であっても(即ち、固定受信であればＢＥＲの値は０となる状況でも)移動速度が高くなるとＢＥＲが劣化し、それがある限界を超えると画像が映らなくなるという現象が起こる。例えば高速道路を観光バスがデジタルテレビ放送を受信しながら走行するような場合においては、或る速度を超えると急激にＢＥＲが劣化する。
【０００５】
車載用のテレビ受像機で良好な受信状態を維持するための技術は、従来より種々提案されている。例えば、自動車のリアウィンドウに方向を異にする４つのアンテナ素子を埋め込み、これら４つのアンテナとテレビ受像機との間の伝送系の入出力インピーダンスを整合させるインピーダンスを整合モジュールを各設け、４つのアンテナのうち最もＳ／Ｎの良好なものをダイバーシチ回路で選択して受像に適用するようにし、アンテナとテレビ受像機との間には増幅器を介在させないようにした自動車用テレビアンテナ装置が提案されている（特許文献１参照）。
【０００６】
また、受信電力（ｄＢμＶ／ｍ）、Ｃ／Ｎ等のパラメータ、及び、ＢＥＲに基づいて受信感度情報を得て、この情報による受信感度を連続的に表示するようにし、視聴者が受信に良好な環境を検討することができるようにして、不用意に受信不能状態に陥ってしまうことを回避しようとするデジタル放送受信装置に関する提案もなされている（特許文献２参照）。
【特許文献１】特開平６−３０３４７号公報（段落０００７〜段落０００８、段落００３１、図１）
【特許文献２】特開２００４−１８０２７１号公報（段落００２０〜段落００２１、段落００２６、図３）
【発明の開示】
【発明が解決しようとする課題】
【０００７】
上述した既定案の車載用のテレビ受像機（特許文献１）やデジタル放送受信装置（特許文献２）は、受信状態を良好にし、或いは、受信感度を連続的に認識可能にするものであるが、受信機が車両に搭載された状態でマルチパス環境下を走行するような場合に、受信電界強度が十分であっても移動速度が高くなるとＢＥＲが劣化してしまうといったような上述の課題に応え得るものではない。
【０００８】
本発明はこのような事情に鑑みてなされたものであり、車載のデジタルテレビ受像機に関し当該車両がマルチパス環境下を走行するような場合に、受信電界強度が十分であっても移動速度が高くなるとＢＥＲが劣化して良好な受信ができなくなってしまうといったような虞を低減させるデジタルテレビシステム及びデジタルテレビ受像機を提供することを目的としている。
【課題を解決するための手段】
【０００９】
上記課題を解決するべく、本願では次に列記するような技術を提案する。
（１）ＢＥＲを検出するＢＥＲ検出回路を備えたデジタルテレビ受像機と、前記ＢＥＲ検出回路のＢＥＲ検出出力と前記前記デジタルテレビ受像機を搭載した車両の速度を検出する車速検出器の速度検出出力とに基づいて前記車両の速度に対応したＢＥＲ値の推移を監視して当該ＢＥＲ値の推移に係る特定の傾向が認識されたときにアラーム信号を出力する監視回路と、を備えたことを特徴とするデジタルテレビシステム。
【００１０】
上記（１）のデジタルテレビシステムによれば、監視回路が、デジタルテレビ受像機に備えられたＢＥＲ検出回路の出力であるＢＥＲ値の推移を、車速の検出出力との関係において監視して、当該ＢＥＲ値の推移に係る特定の傾向が認識されたときにはアラーム信号を出力するため、このアラーム信号に基づいて発せられる音声や光による警告によって運転者が車速を減速させたり、或いは、このアラーム信号に基づいて車速制御を自動的に行う等して、ＢＥＲ値を一定水準以上に維持できるようにすることによってデジタルテレビ受像機では良好な受信状態を維持できる。
【００１１】
（２）デジタルテレビ受像機におけるＢＥＲを検出するＢＥＲ検出回路と、前記デジタルテレビ受像機を搭載した車両の速度を検出する車速検出器と、前記ＢＥＲ検出回路のＢＥＲ検出出力と前記車速検出器の速度検出出力とに基づいて前記車両の速度に対応したＢＥＲ値の推移を監視して当該ＢＥＲ値の推移に係る特定の傾向が認識されたときにアラーム信号を出力する監視回路と、を備えたことを特徴とするデジタルテレビシステム。
【００１２】
上記（２）のデジタルテレビシステムによれば、監視回路が、車両の速度を検出する車速検出器の速度検出出力との関係においてＢＥＲ値の推移を監視して、当該ＢＥＲ値の推移に係る特定の傾向が認識されたときにはアラーム信号を出力するため、このアラーム信号に基づいて発せられる音声や光による警告によって運転者が車速を減速させたり、或いは、このアラーム信号に基づいて車速制御を自動的に行う等して、ＢＥＲ値を一定水準以上に維持できるようにすることによってデジタルテレビ受像機では良好な受信状態を維持できる。
【００１３】
（３）前記ＢＥＲ検出回路は、前記デジタルテレビ受像機におけるビタビ復号エラー訂正回路の入出力の比較処理又はリードソロモン復号エラー訂正回路の入出力の比較処理の何れかの処理に選択的に依拠してＢＥＲを検出するように構成されていることを特徴とする（１）〜（２）の何れか一に記載のデジタルテレビシステム。
【００１４】
上記（３）のデジタルテレビシステムによれば、（１）〜（２）の何れか一に記載のデジタルテレビシステムにおける作用に加えて、ＢＥＲを検出するについて、ビタビ復号エラー訂正回路の入出力の比較処理に基づいてＢＥＲ値を算出するか、又は、リードソロモン復号エラー訂正回路の入出力の比較処理に基づいてＢＥＲ値を算出するかを、その時点で想定される諸条件に応じて選択することによって適切にＢＥＲ値を得ることができるため、種々の状況に柔軟且つ適切に応じることができる。
【００１５】
（４）前記監視回路は、前記ＢＥＲ検出回路の検出出力と前記速度検出器の検出出力とを一定の周期でサンプリングし、そのサンプリング結果に基づいてＢＥＲ値の推移を監視するように構成されていることを特徴とする（１）〜（２）の何れか一に記載のデジタルテレビシステム。
【００１６】
上記（４）のデジタルテレビシステムによれば、（１）〜（２）の何れか一に記載のデジタルテレビシステムにおける作用に加えて、ＢＥＲ値及び車速のサンプリング周期を適切に選択することによって、ＢＥＲ値の推移を的確に監視することができる。
【００１７】
（５）前記監視回路のアラーム信号出力に基づいて音声による警報を発するアラーム発声器を更に備えていることを特徴とする（１）〜（２）の何れか一に記載のデジタルテレビシステム。
【００１８】
上記（５）のデジタルテレビシステムによれば、（１）〜（２）の何れか一に記載のデジタルテレビシステムにおける作用に加えて、アラームの発声に応じて運転者が車速を減速させることができ、これによってＢＥＲ値を一定水準以上に維持してデジタルテレビ受像機では良好な受信状態を維持できる。
【００１９】
（６）前記監視回路のアラーム信号出力に基づいて警告表示を行う警告表示器を更に備えていることを特徴とする（１）〜（２）の何れか一に記載のデジタルテレビシステム。
【００２０】
上記（６）のデジタルテレビシステムによれば、（１）〜（２）の何れか一に記載のデジタルテレビシステムにおける作用に加えて、警告表示器による警報表示に応じて運転者が車速を減速させることができ、これによってＢＥＲ値を一定水準以上に維持してデジタルテレビ受像機では良好な受信状態を維持できる。
【００２１】
（７）前記監視回路のアラーム信号出力が前記車両の速度制御回路に供給され、前記速度制御回路は前記アラーム信号出力に応じて前記車両の速度を抑制するように構成されていることを特徴とする（１）〜（２）の何れか一に記載のデジタルテレビシステム。
【００２２】
上記（７）のデジタルテレビシステムによれば、（１）〜（２）の何れか一に記載のデジタルテレビシステムにおける作用に加えて、車両の速度に対応したＢＥＲ値の推移を監視して当該ＢＥＲ値の推移に係る特定の傾向が認識されたときにアラーム信号を出力するため、ＢＥＲ値を一定水準以上に維持してデジタルテレビ受像機では良好な受信状態を維持できる。
【００２３】
（８）前記監視回路は前記車両の速度に対応したＢＥＲ値が相対的に急な悪化を呈するように推移したときにこの推移を当該特定の傾向と認識してアラーム信号を出力するように構成されていることを特徴とする（１）〜（２）の何れか一に記載のデジタルテレビシステム。
【００２４】
上記（８）のデジタルテレビシステムによれば、（１）〜（２）の何れか一に記載のデジタルテレビシステムにおける作用に加えて、デジタルテレビ受像機が受信不能になる前に未然に車速を減速するなどの対応をとることができる。
【００２５】
（９）前記監視回路のアラーム信号出力が前記車両の制御系を統括的に制御するＥＣＵに一つの入力として供給されるように構成されていることを特徴とする（１）〜（２）の何れか一に記載のデジタルテレビシステム。
【００２６】
上記（９）のデジタルテレビシステムによれば、当該車両の速度に対応したＢＥＲ値の推移を監視してＢＥＲ値の推移に係る特定の傾向が認識されたときに発せられるアラーム信号をも一つの入力データとして考慮して、車両の制御系が統括的に制御され得るようになり、自動的に車速を抑制するなどＢＥＲ値を一定水準以上に維持するための措置が講じられる。
【００２７】
（１０）車両に搭載して使用可能に構成されたデジタルテレビ受像機であって、前記デジタルテレビ受像機におけるＢＥＲを検出するＢＥＲ検出回路と、前記ＢＥＲ検出回路のＢＥＲ検出出力と前記デジタルテレビ受像機を搭載した車両の速度を検出する車速検出器からの速度検出出力とを外部から供給され得るようになされ当該供給されるＢＥＲ検出出力と速度検出出力とに基づいて前記車両の速度に対応したＢＥＲ値の推移を監視して当該ＢＥＲ値の推移に係る特定の傾向が認識されたときにアラーム信号を出力する監視回路と、を備えたことを特徴とするデジタルテレビ受像機。
【００２８】
上記（１０）のデジタルテレビ受像機によれば、自己のＢＥＲ検出回路によるＢＥＲ検出出力と前記デジタルテレビ受像機を搭載した車両の速度を検出する車速検出器からの速度検出出力とに基づいて、監視回路において車両の速度に対応したＢＥＲ値の推移を監視し、当該ＢＥＲ値の推移が急に悪化し始める等の特定の傾向が認識されたときに該監視回路からアラーム信号を出力して、このアラーム信号に基づいて発せられる音声や光による警告によって運転者が車速を減速させたり、或いは、このアラーム信号に基づいて車速制御を自動的に行う等して、ＢＥＲ値を一定水準以上に維持できるようにすることによってデジタルテレビ受像機では良好な受信状態を維持できる。
【００２９】
（１１）前記ＢＥＲ検出回路は、前記デジタルテレビ受像機におけるビタビ復号エラー訂正回路の入出力の比較処理又はリードソロモン復号エラー訂正回路の入出力の比較処理の何れかの処理に選択的に依拠してＢＥＲを検出するように構成されていることを特徴とする（１０）に記載のデジタルテレビ受像機。
【００３０】
上記（１１）のデジタルテレビ受像機によれば、（１０）に記載のデジタルテレビ受像機における作用に加えて、ＢＥＲを検出するについて、ビタビ復号エラー訂正回路の入出力の比較処理に基づいてＢＥＲ値を算出するか、又は、リードソロモン復号エラー訂正回路の入出力の比較処理に基づいてＢＥＲ値を算出するかを、その時点で想定される諸条件に応じて選択することによって適切にＢＥＲ値を得ることができるため、種々の状況に柔軟且つ適切に応じることができる。
【００３１】
（１２）前記ＢＥＲ検出回路は、一定の周期で前記デジタルテレビ受像機におけるＢＥＲを検出し、その検出出力を前記監視回路に供給するように構成されていることを特徴とする（１０）に記載のデジタルテレビ受像機。
【００３２】
上記（１２）のデジタルテレビ受像機によれば、（１０）に記載のデジタルテレビ受像機における作用に加えて、ＢＥＲ検出周期を適切に選択することによって、検出を行う毎瞬時においてＢＥＲ算出の基礎データの時間的同時性が確保された適切な値を得ることができる。
【００３３】
（１３）前記監視回路のアラーム信号出力が当該アラーム信号出力に応じて前記車両の速度を抑制する速度制御回路に供給されるように構成されていることを特徴とする（１０）に記載のデジタルテレビ受像機。
【００３４】
上記（１３）のデジタルテレビ受像機によれば、（１０）に記載のデジタルテレビ受像機における作用に加えて、アラーム信号出力に応じて自動的に車速が制御（抑制）されるため、ＢＥＲ値を一定水準以上に維持してデジタルテレビ受像機では良好な受信状態を維持できる。
【００３５】
（１４）前記監視回路は前記車両の速度に対応したＢＥＲ値が相対的に急な悪化を呈するように推移したときにこの推移を当該特定の傾向と認識してアラーム信号を出力するように構成されていることを特徴とする（１０）に記載のデジタルテレビ受像機。
【００３６】
上記（１４）のデジタルテレビ受像機によれば、（１０）に記載のデジタルテレビ受像機における作用に加えて、デジタルテレビ受像機が受信不能になる前に未然に車速を減速するなどの対応をとることができる。
【発明を実施するための最良の形態】
【００３７】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのデジタルテレビシステムの構成を表すブロック図である。図１において、破線図示の部分が本発明の一の実施の形態としてのデジタルテレビ受像機１００であり、受信用のアンテナ１０１がチューナ１０２に接続され、チューナ１０２で所定の選局が行われた信号出力に対して次段のＡＧＣ回路１０３でゲインコントロールが施される。このＡＧＣ回路１０３の出力信号は公知のビタビ復号エラー訂正回路１０４に供給されて、該信号が一定の長さに亘って調べられてその符号列のつながりから最も確からしい符号が選択されて復号される。
【００３８】
ビタビ復号エラー訂正回路１０４の出力信号が更に次段のリードソロモン（ＲＳ）復号エラー訂正回路１０５に供給され、ビタビ復号後に残る誤りを、バイト単位のインターリーブで誤りを拡散することによりＲＳ符号による訂正が施される。即ち、ＡＧＣ回路１０３の出力信号に対して、ＲＳ符号と畳み込み符号との二重の誤り訂正が施される。これらの誤り訂正符号の特性がそれぞれ十分に得られるように、データを送る順序を並び替える方法が上述のインターリーブである。
【００３９】
ＲＳ復号エラー訂正回路１０５の出力が、このデジタルテレビ受像機１００の映像出力たるＴＳ（トランスポート・ストリーム）であって、例えば液晶、プラズマ、乃至は、ブラウン管等の表示器に供給される。一方、ビタビ復号エラー訂正回路１０４の入力信号と出力信号、及び、ＲＳ復号エラー訂正回路１０５の入力信号と出力信号が、夫々ＢＥＲ検出回路１０６に供給されるようになされ、このＢＥＲ検出回路１０６ではビタビ復号エラー訂正回路１０４の入力信号と出力信号の比較によってＢＥＲ値が算出され、同様にＲＳ復号エラー訂正回路１０５の入力信号と出力信号の比較によってもＢＥＲ値が算出されるように構成されている。
【００４０】
本例の実施の形態におけるＢＥＲ検出回路１０６はＢＥＲを検出するについて、ビタビ復号エラー訂正回路の入出力の比較処理に基づいてＢＥＲ値を算出するか、又は、ＲＳ復号エラー訂正回路の入出力の比較処理に基づいてＢＥＲ値を算出するかを、その時点で想定される諸条件に応じて選択することによって適切にＢＥＲ値を得ることができるため、種々の状況に柔軟且つ適切に応じることができる。
【００４１】
また、既述のＡＧＣ回路１０３からの出力に基づいて受信レベルを検出する受信レベル検出回路１０７が付設され、この受信レベル検出回路１０７の出力に基づいて現在時点でのアンテナ１０１における受信レベル（電波の電界強度）を認識し得るように構成されている。
以上、破線図示の本発明の一実施の形態としてのデジタルテレビ受像機１００について説明したが、本発明のデジタルテレビ受像機は一点鎖線図示のように、次に述べる監視回路１０８を含んで構成される他の実施の形態をとることもできる。
【００４２】
監視回路１０８には、ＢＥＲ検出回路１０６の出力、及び、本実施の形態のデジタルテレビ受像機１００或いはこれを含むシステムが搭載された車両に設けられ当該車両の速度を検出する車速検出器２１０の速度検出出力が供給されており、車両の速度に対応したＢＥＲ値の推移を監視して当該ＢＥＲ値の推移に係る特定の傾向が認識されたときにアラーム信号ＡＬを出力する。このアラーム信号ＡＬは上記車両に設けられた速度制御回路２２０に供給され、アラーム信号ＡＬの値に応じて当該車両の速度が抑制される。
【００４３】
上述のような監視回路１０８を含むデジタルテレビシステム１１０或いは、監視回路１０８を含んで構成されるデジタルテレビ受像機１１０によれば、車両の速度に対応したＢＥＲ値の推移を監視して当該ＢＥＲ値の推移に係る特定の傾向が認識されたときにアラーム信号を出力するため、ＢＥＲ値を一定水準以上に維持してデジタルテレビ受像機では良好な受信状態を維持できる。
【００４４】
尚、図１における破線図示のデジタルテレビ受像機１００と監視回路１０８を含むデジタルテレビシステム１１０（或いは監視回路１０８を含んで概念上の構成要素を同じくし称呼を異にするデジタルテレビ受像機１１０）に上述の車速検出器２１０及び速度制御回路２２０をも含むものとして発明のデジタルテレビシステム１２０を定義することもできる。
【００４５】
図２は、図１におけるデジタルテレビシステムの変形例を説明するブロック図である。図２においては、図１における監視回路１０８のアラーム信号出力ＡＬの供給先が異なるのみであるため、この部分のみ示し、他部は図１と共通であるため、図示は省略してある。図２（Ａ）は図１の監視回路１０８のアラーム信号出力ＡＬをアラーム発報器２２１に供給し、このアラーム発報器２２１によって音声による警報を発するように構成した実施の形態である。アラームの発声に応じて運転者が車速を減速させることができるため、これによってＢＥＲ値を一定水準以上に維持してデジタルテレビ受像機では良好な受信状態を維持できる。
【００４６】
また、図２（Ｂ）は、図１の監視回路１０８のアラーム信号出力ＡＬを警告表示器２２２に供給し、この警告表示器２２２によって警告表示を行うように構成した実施の形態である。警告表示器２２２による警報表示に応じて運転者が車速を減速させることができ、これによってＢＥＲ値を一定水準以上に維持してデジタルテレビ受像機では良好な受信状態を維持できる。
【００４７】
図３は、車両走行速度とＢＥＲとの関係の一例を示す図である。マルチパスの存在する環境では或る速度を超えると急激にＢＥＲが悪化するといった現象を生じる。例えば、デジタルテレビ受像機を備えた観光バスが放送を受信しながら高速道路を走行している場合などでは、上述の現象によって、急に受信不能に陥るといった虞がある。図３の事例では、車速が９３Ｋｍ／ｈのあたりを超えると、僅かな車速の増加によってもＢＥＲが急激に悪化することになる（ＢＥＲ＝０．０００１以上に急上昇）。
【００４８】
本発明では、既述の監視回路１０８によって、僅かな車速の増加に対して急激にＢＥＲが悪化傾向を呈するといったような、ＢＥＲ推移の傾向が特異な変化を示すような状況を察知して、アラーム信号出力ＡＬを発することによって、車速の増加を自動的に抑制し、或いは、音声や視覚的表示によって警報を出して、運転者が加速を抑制することを促すことによって、ＢＥＲ値を一定水準以上に維持してデジタルテレビ受像機では良好な受信状態を維持できるようにすることが可能である。
【００４９】
図４は、図１のデジタルテレビシステムにおける枢要な要素である監視回路１０８の動作を表すフローチャートである。回路が起動すると、先ず、車速検出器２１０の検出出力である車速をサンプリングする（Ｓ４０１）。次いで、ＢＥＲ検出回路１０６の出力であるＢＥＲ値を取り込む（Ｓ４０２）。続いて、ステップＳ４０１で取得した車速データとステップＳ４０２で取得したＢＥＲ値とに基づいて、ＢＥＲの推移傾向が特異な様相を示すような状況であるか否かが弁別される（Ｓ４０３）。
【００５０】
ステップＳ４０３でＢＥＲの推移傾向が急な悪化に向かう虞が認められるなど特異な様相を呈していると弁別されたときには、アラーム信号出力ＡＬを発してリターンする（Ｓ４０４）。一方、ＢＥＲの推移傾向が別段特異な様相を呈してはいないと弁別されたときには、ステップＳ４０１に戻る。
図５は、本発明の他の実施の形態を表すブロック図である。この例では、上述の本発明のデジタルテレビシステム１１０（図１にて一点鎖線図示）のアラーム信号出力ＡＬを、車両に搭載されて制御系を統括的に制御するＥＣＵ３００に対して一つの入力信号として供給するようにシステムを構成している。図５において、既述の車速検出器としての車速センサ２１０、及び、その他当該車両に関する種々の制御を行うための検出端としての各種センサからの検出出力がＥＣＵ３００に供給されるようになされている。
【００５１】
車速センサ（車速検出器）２１０の出力は、図１を参照して説明したところと同様にデジタルテレビシステム１２０に供給されその内部の監視回路によって既述のアラーム信号出力ＡＬが発せられてＥＣＵ３００に供給される。このアラーム信号ＡＬを受けたＥＣＵ３００は自己に接続された既述のアラーム発声器として機能するスピーカ２２１、及び／又は、警告表示器として機能するディスプレイ２２２に信号を供給し、スピーカ２２１によって音声による警報を発声し、或いは、これとは別に乃至はこれと共にディスプレイ２２２によって警告表示を行う。
【００５２】
或いは又、ＥＣＵ３００は、アラーム信号ＡＬに応じて、既述の速度制御回路２２０をその一部として構成される車速制御アクチュエータ２２３を通して車速の増加を抑制し、或いは、積極的に減速するような制御を実行する。即ち、ＢＥＲ値を一定水準以上に維持するための措置が講じられる。尚、ＥＣＵ３００を含んで構成される車両の制御系において、デジタルテレビ受像機による映像の受信状態を良好に保つための制御機能を働かせる動作モードと、この制御機能はオフにしておく動作モードとを任意に選択可能に構成してもよいことは勿論である。
【図面の簡単な説明】
【００５３】
【図１】本発明の実施の形態としてのデジタルテレビシステムの構成を表すブロック図である。
【図２】図１におけるデジタルテレビシステムの変形例を説明するブロック図である。
【図３】車両走行速度とＢＥＲとの関係の一例を示す図である。
【図４】図１のデジタルテレビシステムにおける監視回路の動作を表すフローチャートである。
【図５】本発明の他の実施の形態を表すブロック図である。
【符号の説明】
【００５４】
１００…デジタルテレビ受像機  １０１…アンテナ  １０２…チューナ  １０３…ＡＧＣ回路  １０４…ビタビ復号エラー訂正回路  １０５…リードソロモン（ＲＳ）復号エラー訂正回路  １０６…ＢＥＲ検出回路  １０７…受信レベル検出回路  １０８…監視回路  １１０…デジタルテレビシステム（デジタルテレビ受像機）  １２０…デジタルテレビシステム  ２１０…車速検出器（車速センサ）  ２２０…速度制御回路  ２２１…アラーム発声器（スピーカ）  ２２２…警告表示器（ディスプレイ）  ２２３…車速制御アクチュエータ  ３００…ＥＣＵ
【図１】
2006197289.tif 000003
【図２】
2006197289.tif 000004
【図３】
2006197289.tif 000005
【図４】
2006197289.tif 000006
【図５】
2006197289.tif 000007